(57)【要約】【課題】利用者の制限を設ける必要のある電子機器（ドアロック装置１）の遠隔操作を携帯電話１２ａで実現するために、鍵コードを携帯電話１２ａへ登録させるための情報処理システムを提供すること。【解決手段】車両１３ａに装備されているドアロック装置１の遠隔操作に必要となる鍵コードを格納するサーバー２５ａから鍵コードをダウンロードし、ダウンロードした鍵コードを携帯電話１２ａへ送出するパソコン２３ａとを含んで構成される情報処理システムであって、パソコン２３ａに車両１３ａの車両番号情報をサーバー２５ａへ送信する手段と、サーバー２５ａにより特定され、送信されてきた鍵コードを携帯電話１２ａへ送出する手段とを装備し、サーバー２５ａに鍵コードの管理情報を記憶する手段と、パソコン２３ａからの情報に基づいて鍵コードを特定する手段と、特定した鍵コードをパソコン２３ａへ送信する手段とを装備する。【選択図】　図１
2004076346.tif 000002
【特許請求の範囲】
【請求項１】
遠隔操作の対象となる遠隔操作対象装置の操作に必要となる鍵コードを格納するサーバーと、
該サーバーに格納されている鍵コードをダウンロードし、ダウンロードした鍵コードを、遠隔操作機器として利用する無線携帯端末へ送出する情報処理装置とを含んで構成される情報処理システムであって、
前記情報処理装置が、
各種情報が入力される第１の入力手段と、
該第１の入力手段により入力された、鍵コードを特定するための特定情報など、所望の鍵コードをダウンロードするにあたって必要となる第１の情報を前記サーバーへ送信する第１の送信手段と、
前記サーバーにより前記特定情報に基づき特定され、送信されてきた鍵コードを前記無線携帯端末へ送出する第１の送出手段とを備え、
前記サーバーが、
複数の鍵コードと、これら複数の鍵コードの管理に必要となる管理情報とを関連付けて記憶する第１の記憶手段と、
前記情報処理装置から送信されてきた前記第１の情報に基づいて、前記第１の記憶手段を検索し、鍵コードの特定を行う第１の特定手段と、
該第１の特定手段により特定された鍵コードを前記情報処理装置へ送信する第２の送信手段とを備えていることを特徴とする情報処理システム。
【請求項２】
遠隔操作の対象となる遠隔操作対象装置の操作に必要となる鍵コードを格納するサーバーと、
該サーバーに格納されている鍵コードをダウンロードし、ダウンロードした鍵コードを用いて、前記遠隔操作対象装置の遠隔操作を行う無線携帯端末とを含んで構成される情報処理システムであって、
前記無線携帯端末が、
各種情報が入力される第２の入力手段と、
該第２の入力手段により入力された、鍵コードを特定するための特定情報など、所望の鍵コードをダウンロードするにあたって必要となる第２の情報を前記サーバーへ送信する第３の送信手段と、
鍵コードを記憶するための第２の記憶手段と、
前記サーバーにより前記特定情報に基づき特定され、送信されてきた鍵コードを前記第２の記憶手段へ記憶させる記憶制御手段とを備え、
前記サーバーが、
複数の鍵コードと、これら複数の鍵コードの管理に必要となる管理情報とを関連付けて記憶する第３の記憶手段と、
前記情報処理装置から送信されてきた前記第２の情報に基づいて、前記第３の記憶手段を検索し、鍵コードの特定を行う第２の特定手段と、
該第２の特定手段により特定された鍵コードを前記無線携帯端末へ送信する第４の送信手段とを備えていることを特徴とする情報処理システム。
【請求項３】
遠隔操作の対象となる遠隔操作対象装置の操作に必要となる鍵コードを格納する情報処理装置と、
該情報処理装置に格納されている鍵コードを取り込み、取り込んだ鍵コードを用いて、前記遠隔操作対象装置の遠隔操作を行う無線携帯端末とを含んで構成される情報処理システムであって、
前記情報処理装置が、
複数の鍵コードと、これら複数の鍵コードの管理に必要となる管理情報とを関連付けて記憶する第４の記憶手段と、
各種情報が入力される第３の入力手段と、
該第３の入力手段により入力された、鍵コードを特定するための特定情報など、所望の鍵コードを前記無線携帯端末へ送出するにあたって必要となる第３の情報に基づいて、前記第４の記憶手段を検索し、鍵コードの特定を行う第３の特定手段と、
該第３の特定手段により特定された鍵コードを前記無線携帯端末へ送出する第２の送出手段とを備えていることを特徴とする情報処理システム。
【請求項４】
前記第１〜前記第３の情報に、遠隔操作に前記所望の鍵コードを必要とする遠隔操作対象装置を操作すべき正規の操作者に関する情報が含まれ、
また、複数の鍵コードの管理に必要となる前記管理情報にも、前記正規の操作者に関する情報が含まれ、
前記第１〜前記第３の特定手段が、前記正規の操作者に関する情報を考慮に入れ、鍵コードの特定だけでなく、前記無線携帯端末を使用する者が前記正規の操作者であるか否かの判断を行うものであることを特徴とする請求項１〜３のいずれかの項に記載の情報処理システム。
【請求項５】
前記正規の操作者に関する情報として、前記正規の操作者が使用する無線携帯端末を識別するための識別情報が含まれていることを特徴とする請求項４記載の情報処理システム。
【請求項６】
前記第１〜前記第３の情報に、遠隔操作に前記所望の鍵コードを必要とする遠隔操作対象装置を操作すべき正規の操作者だけが知り得る情報が含まれ、
また、複数の鍵コードの管理に必要となる前記管理情報にも、前記正規の操作者だけが知り得る情報が含まれ、
前記第１〜前記第３の特定手段が、前記正規の操作者だけが知り得る情報を考慮に入れ、鍵コードの特定だけでなく、前記無線携帯端末を使用する者が前記正規の操作者であるか否かの判断を行うものであることを特徴とする請求項１〜５のいずれかの項に記載の情報処理システム。
【請求項７】
前記正規の操作者だけが知り得る情報として、所定のサービス機関から前記正規の操作者へ提供されるカードなどの提供物に記載されている暗証コードなどの情報、又は前記提供物に記憶されている暗証コードなどの情報が含まれていることを特徴とする請求項６記載の情報処理システム。
【請求項８】
遠隔操作の対象となる遠隔操作対象装置の操作に必要となる鍵コードを格納し、格納している鍵コードをネットワークを介して、情報処理装置へ送信するサーバーであって、
複数の鍵コードと、これら複数の鍵コードの管理に必要となる管理情報とを関連付けて記憶する第１の記憶手段と、
前記情報処理装置から送信されてきた、鍵コードを特定するための特定情報など、所望の鍵コードをダウンロードするにあたって必要となる第１の情報に基づいて、前記第１の記憶手段を検索し、鍵コードの特定を行う第１の特定手段と、
該第１の特定手段により特定された鍵コードを前記情報処理装置へ送信する第２の送信手段とを備えていることを特徴とするサーバー。
【請求項９】
遠隔操作の対象となる遠隔操作対象装置の操作に必要となる鍵コードを格納し、格納している鍵コードをネットワークを介して、前記遠隔操作対象装置の遠隔操作を行う無線携帯端末へ送信するサーバーであって、
複数の鍵コードと、これら複数の鍵コードの管理に必要となる管理情報とを関連付けて記憶する第３の記憶手段と、
前記情報処理装置から送信されてきた、鍵コードを特定するための特定情報など、所望の鍵コードをダウンロードするにあたって必要となる第２の情報に基づいて、前記第３の記憶手段を検索し、鍵コードの特定を行う第２の特定手段と、
該第２の特定手段により特定された鍵コードを前記無線携帯端末へ送信する第４の送信手段とを備えていることを特徴とするサーバー。
【請求項１０】
遠隔操作の対象となる遠隔操作対象装置の操作に必要となる鍵コードを格納するサーバーとネットワークを介してデータのやり取りを行うことにより、前記サーバーに格納されている鍵コードをダウンロードし、ダウンロードした鍵コードを、遠隔操作機器として利用する無線携帯端末へ送出する情報処理装置であって、
各種情報が入力される第１の入力手段と、
該第１の入力手段により入力された、鍵コードを特定するための特定情報など、所望の鍵コードをダウンロードするにあたって必要となる第１の情報を前記サーバーへ送信する第１の送信手段と、
前記サーバーにより前記特定情報に基づき特定され、送信されてきた鍵コードを前記無線携帯端末へ送出する第１の送出手段とを備えていることを特徴とする情報処理装置。
【請求項１１】
遠隔操作の対象となる遠隔操作対象装置の操作に必要となる鍵コードを格納し、格納している鍵コードを、前記遠隔操作対象装置の遠隔操作を行う無線携帯端末へ送出する情報処理装置であって、
複数の鍵コードと、これら複数の鍵コードの管理に必要となる管理情報とを関連付けて記憶する第４の記憶手段と、
各種情報が入力される第３の入力手段と、
該第３の入力手段により入力された、鍵コードを特定するための特定情報など、所望の鍵コードを前記無線携帯端末へ送出するにあたって必要となる第３の情報に基づいて、前記第４の記憶手段を検索し、鍵コードの特定を行う第３の特定手段と、
該第３の特定手段により特定された鍵コードを前記無線携帯端末へ送出する第２の送出手段とを備えていることを特徴とする情報処理装置。
【請求項１２】
遠隔操作の対象となる遠隔操作対象装置の遠隔操作機器として利用する無線携帯端末において、
操作情報が入力される第４の入力手段と、
前記操作情報と、該操作情報と対応する前記遠隔操作対象装置を遠隔操作するための遠隔操作情報とを関連付けて記憶する第５の記憶手段と、
前記遠隔操作対象装置の操作に必要となる鍵コードを記憶する第６の記憶手段と、
前記第４の入力手段により入力された遠隔情報に対応する前記第５の記憶手段に記憶されている遠隔操作情報に基づいて、前記第６の記憶手段に記憶されている鍵コードが付加された前記遠隔操作対象装置を遠隔操作するための遠隔操作信号を送出する第３の送出手段と、
所定の条件が満たされたと判断すると、少なくとも鍵コードを含んで構成される前記遠隔操作信号の送出を不能にするための処理を行う処理手段とを備えていることを特徴とする無線携帯端末。
【請求項１３】
前記所定の条件が、外部から送信されてくる所定の信号を受信すること、
所定のタイミングから所定の期間が経過すること、
所定の期間内に、所定の操作が行われないことのいずれかであることを特徴とする請求項１２記載の無線携帯端末。
【請求項１４】
前記処理手段が、前記第６の記憶手段に記憶されている鍵コードの消去、又は該鍵コードの書き換えを行うものであることを特徴とする請求項１２又は請求項１３記載の無線携帯端末。
【請求項１５】
遠隔操作の対象となる遠隔操作対象装置の遠隔操作機器として利用するものであり、
操作情報が入力される第４の入力手段と、
前記操作情報と、該操作情報と対応する前記遠隔操作対象装置を遠隔操作するための遠隔操作情報とを関連付けて記憶する第５の記憶手段と、
前記遠隔操作対象装置の操作に必要となる鍵コードを記憶する第６の記憶手段と、
前記第４の入力手段により入力された遠隔情報に対応する前記第５の記憶手段に記憶されている遠隔操作情報に基づいて、前記第６の記憶手段に記憶されている鍵コードが付加された前記遠隔操作対象装置を遠隔操作するための遠隔操作信号を送出する第３の送出手段とを備えた無線携帯端末に搭載されるコンピュータに下記の機能を実現させるためのプログラムであって、
前記機能が、所定の条件が満たされたと判断すると、少なくとも鍵コードを含んで構成される前記遠隔操作信号の送出を不能にするための処理を行うことであることを特徴とするプログラム。
【発明の詳細な説明】
【０００１】
【発明の属する技術分野】
本発明は情報処理システム、サーバー、情報処理装置、無線携帯端末、及びプログラムに関し、より詳細には、遠隔操作の対象となる遠隔操作対象装置の操作に必要となる鍵コードを、遠隔操作機器として利用する無線携帯端末（例えば、携帯電話）へ取り込ませるための情報処理システムなどに関する。
【０００２】
【従来の技術】
携帯電話などの無線携帯端末は、小型軽量化とサービスエリアの拡充が進み、ほとんどどの場所からでも通信サービスを利用することができるようになり、利用者は外出時だけに限らず、自宅にいるときにでも前記無線携帯端末を常時携帯するようになってきている。
そして近年、この無線携帯端末の携帯性に着目した種々の提案がなされ、その一つに携帯電話を用いてドアロックの施錠、解錠を行うようにしたものがある（特開２０００−２０２９号公報（公知例１））。
【０００３】
図１６は、無線携帯端末が採用されたドアロックシステムではなく、実用化されているドアロックシステムの一例を示したブロック図である。図中１はドアロック装置を示しており、ドアロック装置１はマイコン２と、各車両毎に設定された鍵コードが記憶されたＥＥＰＲＯＭ３と、正規の運転者が携帯する携帯用送信機８から送信される信号（鍵コードを含む信号）を受信するためのアンテナ４及び受信回路５とを含んで構成されている。
【０００４】
マイコン２にはドアの開閉状態を検出するためのドアカーテシスイッチ６と、ドアロックアクチュエータ７とが接続されており、マイコン２ではドアの開閉状態を把握することができ、また、マイコン２は携帯用送信機８から送信されてくる信号と、ＥＥＰＲＯＭ３に記憶されている鍵コードと、ドアの開閉状態とに基づいて、ドアロックの施錠、解錠を行うことができるようになっている。
【０００５】
例えば、マイコン２は全てのドアが閉じているときに、正しい鍵コード（すなわち、ＥＥＰＲＯＭ３に記憶されている鍵コード）とロック指令コードとを含んで構成される信号を受信すると、ドアロックアクチュエータ７を制御することによって、全てのドアをロック状態にし、他方、正しい鍵コードとアンロック指令コードとを含んで構成される信号を受信すると、ドアロックアクチュエータ７を制御することによって、全てのドアをアンロック状態にするようになっている。
【０００６】
ところが、公知例１に開示されているドアロックシステムは、遠隔操作機器として携帯電話を採用したものであるが、その携帯電話に割り当てられている電話番号を鍵コードとして利用しているため、既存のドアロック装置１を利用してドアロックシステムを構築することができないといった問題がある。
【０００７】
このような問題を解決するには、携帯電話に装備されている操作キーで所定の操作が行われると、既存の携帯用送信機８と同様に、鍵コードとロック指令コード（又はアンロック指令コード）とを含んで構成される信号が送信されるようにする必要がある。換言すれば、携帯電話に既存のドアロック装置１を遠隔操作させるための遠隔操作機能を付加する必要がある。
【０００８】
ところで、遠隔操作機能を無線携帯端末に付加する技術については、特開２００１−９４６７５号公報（公知例２）に開示されている。この公知例２に開示されている発明は、サーバーから電子機器（例えば、テレビ、ビデオ、エアコン、電灯）の機種ごとの遠隔操作データをダウンロードするようにし、既存の電子機器に対して遠隔操作を実現するようにしたものである。
【０００９】
【発明が解決しようとする課題】
ところが、公知例２に開示されている発明は、利用者の制限を設ける必要性の少ない家庭用電子機器の遠隔操作を対象としたものであり、利用者の制限を設ける必要のある電子機器（例えば、鍵コードを必要とするドアロック装置１など）にはそのままでは採用することができないといった問題がある。
【００１０】
本発明は上記課題に鑑みなされたものであって、利用者の制限を設ける必要のある電子機器の遠隔操作を無線携帯端末で実現するために、鍵コードを前記無線携帯端末へ登録させるための情報処理システム、サーバー、及び情報処理装置を提供することを目的としている。
また、本発明の他の目的は、遠隔操作の対象となるものの保安性を高めるための無線携帯端末、及び該無線携帯端末に搭載されるコンピュータに実現させるためのプログラムを提供することにある。
【００１１】
【課題を解決するための手段及びその効果】
上記目的を達成するために本発明に係る情報処理システム（１）は、遠隔操作の対象となる遠隔操作対象装置の操作に必要となる鍵コードを格納するサーバーと、該サーバーに格納されている鍵コードをダウンロードし、ダウンロードした鍵コードを、遠隔操作機器として利用する無線携帯端末へ送出する情報処理装置とを含んで構成される情報処理システムであって、前記情報処理装置が、各種情報が入力される第１の入力手段と、該第１の入力手段により入力された、鍵コードを特定するための特定情報など、所望の鍵コードをダウンロードするにあたって必要となる第１の情報を前記サーバーへ送信する第１の送信手段と、前記サーバーにより前記特定情報に基づき特定され、送信されてきた鍵コードを前記無線携帯端末へ送出する第１の送出手段とを備え、前記サーバーが、複数の鍵コードと、これら複数の鍵コードの管理に必要となる管理情報とを関連付けて記憶する第１の記憶手段と、前記情報処理装置から送信されてきた前記第１の情報に基づいて、前記第１の記憶手段を検索し、鍵コードの特定を行う第１の特定手段と、該第１の特定手段により特定された鍵コードを前記情報処理装置へ送信する第２の送信手段とを備えていることを特徴としている。
【００１２】
上記情報処理システム（１）によれば、遠隔操作の対象となる前記遠隔操作対象装置（例えば、車両に装備されるドアロック装置）の操作に必要となる鍵コードを特定するための前記特定情報（例えば、前記ドアロック装置が装備されている車両を特定する車両番号）に基づき、前記サーバーにて特定された鍵コードが前記情報処理装置（例えば、パソコン）へダウンロードされ、ダウンロードされた鍵コードが前記情報処理装置から前記無線携帯端末（例えば、携帯電話）へ送出される。
【００１３】
そのため、公知例２に開示されている発明とは異なり、前記遠隔操作対象装置の操作に必要となる鍵コードを前記情報処理装置へダウンロードさせ、前記情報処理装置へダウンロードさせた鍵コードを前記無線携帯端末へ送出させることができる。従って、鍵コードを必要とするドアロック装置やセキュリティ装置など、利用者の制限を設ける必要性のある既存の電子機器の遠隔操作を、携帯電話などの無線携帯端末で実現することができる。
【００１４】
なお、図１は上記情報処理システム（１）を採用した場合における、鍵コードを携帯電話へ書き込む流れの一例を説明するための説明図である。図中１１ａは通信事業者２１ａを訪れた携帯電話１２ａを所持している所持者を示しており、所持者１１ａは車両１３ａに装備されているドアロック装置１（図１６参照）の遠隔操作を、所持者１１ａ自身が所持する携帯電話１２ａで実現させることを希望している者である。ドアロック装置１の操作に必要となる鍵コードは、ドアロック装置１を構成するＥＥＰＲＯＭ３（図１６参照）に記憶されている鍵コードである。
【００１５】
１．通信事業者２１ａを訪れた携帯電話１２ａの所持者１１ａが、通信事業者２１ａの従業員２２ａに車両１３ａの車両番号を伝える。
２．従業員２２ａは、通信事業者２１ａに設置されているパソコン２３ａを使い、ネットワーク２４ａを介してサーバー２５ａに対し、車両１３ａの車両番号を送信する。
３．サーバー２５ａは、送信されてきた車両番号に基づいて、鍵コードの特定を行い、特定した鍵コードをパソコン２３ａへ送信する。
４．パソコン２３ａは、サーバー２５ａから受信した鍵コードを携帯電話１２ａへ送出する。
【００１６】
また、本発明に係る情報処理システム（２）は、遠隔操作の対象となる遠隔操作対象装置の操作に必要となる鍵コードを格納するサーバーと、該サーバーに格納されている鍵コードをダウンロードし、ダウンロードした鍵コードを用いて、前記遠隔操作対象装置の遠隔操作を行う無線携帯端末とを含んで構成される情報処理システムであって、前記無線携帯端末が、各種情報が入力される第２の入力手段と、該第２の入力手段により入力された、鍵コードを特定するための特定情報など、所望の鍵コードをダウンロードするにあたって必要となる第２の情報を前記サーバーへ送信する第３の送信手段と、鍵コードを記憶するための第２の記憶手段と、前記サーバーにより前記特定情報に基づき特定され、送信されてきた鍵コードを前記第２の記憶手段へ記憶させる記憶制御手段とを備え、前記サーバーが、複数の鍵コードと、これら複数の鍵コードの管理に必要となる管理情報とを関連付けて記憶する第３の記憶手段と、前記情報処理装置から送信されてきた前記第２の情報に基づいて、前記第３の記憶手段を検索し、鍵コードの特定を行う第２の特定手段と、該第２の特定手段により特定された鍵コードを前記無線携帯端末へ送信する第４の送信手段とを備えていることを特徴としている。
【００１７】
上記情報処理システム（２）によれば、前記無線携帯端末（例えば、携帯電話）で入力された、遠隔操作の対象となる前記遠隔操作対象装置（例えば、車両に装備されるドアロック装置）の操作に必要となる鍵コードを特定するための前記特定情報（例えば、前記ドアロック装置が装備されている前記車両を特定する車両番号）に基づき、前記サーバーにて特定された鍵コードが前記無線携帯端末へダウンロードされる。
【００１８】
そのため、公知例２に開示されている発明とは異なり、前記遠隔操作対象装置の操作に必要となる鍵コードを前記無線携帯端末へダウンロードさせることが可能となる。従って、鍵コードを必要とするドアロック装置やセキュリティ装置など、利用者の制限を設ける必要性のある既存の電子機器の遠隔操作を、携帯電話などの無線携帯端末で実現することができる。
【００１９】
なお、図２は上記情報処理システム（２）を採用した場合における、鍵コードを携帯電話へ書き込む流れの一例を説明するための説明図である。図中１１ｂは携帯電話１２ｂを所持する所持者を示しており、所持者１１ｂは車両１３ｂに装備されているドアロック装置１（図１６参照）の遠隔操作を、所持者１１ｂ自身の所持する携帯電話１２ｂで実現させることを希望している者である。ドアロック装置１の操作に必要となる鍵コードは、ドアロック装置１を構成するＥＥＰＲＯＭ３（図１６参照）に記憶されている鍵コードである。
【００２０】
１．所持者１１ｂが携帯電話１２ｂを使い、基地局２６ｂ及びネットワーク２４ｂを介してサーバー２５ｂに対し、車両１３ｂの車両番号を送信する。
２．サーバー２５ｂは、送信されてきた車両番号に基づいて、鍵コードの特定を行い、特定した鍵コードを携帯電話１２ｂへ送信する。
【００２１】
また、本発明に係る情報処理システム（３）は、遠隔操作の対象となる遠隔操作対象装置の操作に必要となる鍵コードを格納する情報処理装置と、該情報処理装置に格納されている鍵コードを取り込み、取り込んだ鍵コードを用いて、前記遠隔操作対象装置の遠隔操作を行う無線携帯端末とを含んで構成される情報処理システムであって、前記情報処理装置が、複数の鍵コードと、これら複数の鍵コードの管理に必要となる管理情報とを関連付けて記憶する第４の記憶手段と、各種情報が入力される第３の入力手段と、該第３の入力手段により入力された、鍵コードを特定するための特定情報など、所望の鍵コードを前記無線携帯端末へ送出するにあたって必要となる第３の情報に基づいて、前記第４の記憶手段を検索し、鍵コードの特定を行う第３の特定手段と、該第３の特定手段により特定された鍵コードを前記無線携帯端末へ送出する第２の送出手段とを備えていることを特徴としている。
【００２２】
上記情報処理システム（３）によれば、前記情報処理装置（例えば、パソコン）で前記特定情報に基づき特定された鍵コードが、前記情報処理装置から前記携帯無線端末（例えば、携帯電話）へ送出される。そのため、公知例２に開示されている発明とは異なり、前記遠隔操作対象装置の操作に必要となる鍵コードを前記無線携帯端末へ送出させることが可能となる。従って、鍵コードを必要とするドアロック装置やセキュリティ装置など、利用者の制限を設ける必要性のある既存の電子機器の遠隔操作を、携帯電話などの無線携帯端末で実現することができる。
【００２３】
なお、図３は上記情報処理システム（３）を採用した場合における、鍵コードを携帯電話へ書き込む流れの一例を説明するための説明図である。図中１１ｃは車両販売事業者２１ｃを訪れた携帯電話１２ｃを所持している所持者を示しており、所持者１１ｃは車両１３ｃに装備されているドアロック装置１（図１６参照）の遠隔操作を、所持者１１ｃ自身が所持する携帯電話１２ｃで実現させることを希望している者である。ドアロック装置１の操作に必要となる鍵コードは、ドアロック装置１を構成するＥＥＰＲＯＭ３（図１６参照）に記憶されている鍵コードである。
【００２４】
１．車両販売事業者２１ｃを訪れた携帯電話１２ｃの所持者１１ｃが、車両販売事業者２１ｃの従業員２２ｃに車両１３ｃの車両番号を伝える。
２．従業員２２ｃは、車両販売事業者２１ｃに設置されているパソコン２３ｃへ車両１３ｃの車両番号を入力する。
３．パソコン２３ｃは、入力された車両番号に基づいて、鍵コードの特定を行い、特定した鍵コードを携帯電話１２ｃへ送出する。
【００２５】
また、本発明に係る情報処理システム（４）は、上記情報処理システム（１）〜（３）のいずれかにおいて、前記第１〜前記第３の情報に、遠隔操作に前記所望の鍵コードを必要とする遠隔操作対象装置を操作すべき正規の操作者に関する情報が含まれ、また、複数の鍵コードの管理に必要となる前記管理情報にも、前記正規の操作者に関する情報が含まれ、前記第１〜前記第３の特定手段が、前記正規の操作者に関する情報を考慮に入れ、鍵コードの特定だけでなく、前記無線携帯端末を使用する者が前記正規の操作者であるか否かの判断を行うものであることを特徴としている。
【００２６】
ところで、上記情報処理システム（１）は、図１に示したように、通信事業者２１ａに設置されているパソコン２３ａと鍵コードが格納されたサーバー２５ａとの間で、情報のやり取りを行わせることにより、鍵コードの特定を行い、特定した鍵コードを携帯電話１２ａへ送出させるシステムである。また、鍵コードを特定するにあたって、所持者１１ａから通信事業者２１ａの従業員２２ａへ伝えられるのは、ドアロック装置１が装備されている車両１３ａを特定するための車両番号だけである。
【００２７】
ところが、車両１３ａの車両番号というのは、誰でも知り得る情報であるため、所持者１１ａが車両１３ａの所有者でなかったとしても、所持者１１ａの所持する携帯電話１２ａに、車両１３ａに装備されているドアロック装置１の遠隔操作に利用するための鍵コードを書き込ませることができてしまい、車両の保安性が著しく低下する。
【００２８】
そのため、鍵コードの特定だけでなく、携帯電話１２ａを使用する者（すなわち、所持者１１ａ）がドアロック装置１が装備された車両１３ａの所有者（すなわち、ドアロック装置１を操作すべき正規の操作者）であるか否かの判断を適切に行うことも非常に重要となる。また、この問題は上記情報処理システム（１）に限らず、上記情報処理システム（２）、（３）のいずれにも生じる問題である。
【００２９】
上記情報処理システム（４）によれば、前記第１〜前記第３の情報に、遠隔操作に前記所望の鍵コードを必要とする前記遠隔操作対象装置（例えば、車両に装備するドアロック装置）を操作すべき正規の操作者（例えば、前記車両の所有者）に関する情報（例えば、前記車両の所有者の名前、住所、生年月日）が含まれ、また、前記管理情報にも前記正規の操作者に関する情報が含まれ、前記正規の操作者に関する情報を考慮に入れて、鍵コードの特定だけでなく、前記無線携帯端末（例えば、携帯電話）を使用する者が前記正規の操作者であるか否かの判断が行われる。
【００３０】
すなわち、上記情報処理システム（１）〜（３）のように、鍵コードを特定するための特定情報（例えば、ドアロック装置１が装備されている車両１３ａを特定するための車両番号）だけでなく、前記正規の操作者に関する情報を考慮に入れて、鍵コードの特定や、前記無線携帯端末を使用する者が前記正規の操作者であるか否かの判断が行われるので、鍵コードの特定をより精度良く行うことができるのはもちろん、車両１３ａの所有者でない別の人間が所持する携帯電話１２ａに、車両１３ａのドアロック装置１に利用される鍵コードが書き込まれるのを防止することができる。
【００３１】
また、本発明に係る情報処理システム（５）は、上記情報処理システム（４）において、前記正規の操作者に関する情報として、前記正規の操作者が使用する無線携帯端末を識別するための識別情報が含まれていることを特徴としている。
【００３２】
上記情報処理システム（５）によれば、前記正規の操作者（例えば、前記車両の所有者）に関する情報として、前記正規の操作者が使用する無線携帯端末（例えば、携帯電話）を識別するための識別情報（例えば、前記携帯電話の電話番号）が含まれ、前記識別情報を考慮に入れて、鍵コードの特定や、前記無線携帯端末を使用する者が前記正規の操作者であるか否かの判断が行われる。
【００３３】
例えば、携帯電話の電話番号を考慮に入れることによって、通信事業者２１ａに訪れた所持者１１ａ（所持者１１ａは、車両１３ａの所有者であるとは限らない）の所持している携帯電話１２ａが、車両１３ａの所有者のものであるか否かの判断を行うことができる。なお、携帯電話１２ａの電話番号については、携帯電話１２ａのディスプレイ画面上に表示されるようになっているため、ディスプレイ画面上に表示された内容から携帯電話１２ａの電話番号を確認することができる。
【００３４】
また、最近の携帯電話１２ａは、その所有者だけが知り得る暗証番号などが登録されるようになっているため、通信事業者２１ａに訪れている所持者１１ａが携帯電話１２ａに登録されている暗証番号を知っているか否かによって、所持者１１ａが携帯電話１２ａの所有者であるか否かの確認をとることができる。
【００３５】
これにより、所持者１１ａが車両１３ａの所有者であるか否かの判断を直接行うことができなかったとしても、携帯電話１２ａが車両１３ａの所有者のものであることが判明し、なおかつ所持者１１ａが携帯電話１２ａの所有者であることが判明すれば、これら２つの命題から、所持者１１ａが車両１３ａの所有者であると断定することができる。よって、前記無線携帯端末の識別情報を考慮に入れることによって、非常に優れた情報処理システムを実現することができる。
【００３６】
また、本発明に係る情報処理システム（６）は、上記情報処理システム（１）〜（５）のいずれかにおいて、前記第１〜前記第３の情報に、遠隔操作に前記所望の鍵コードを必要とする遠隔操作対象装置を操作すべき正規の操作者だけが知り得る情報が含まれ、また、複数の鍵コードの管理に必要となる前記管理情報にも、前記正規の操作者だけが知り得る情報が含まれ、前記第１〜前記第３の特定手段が、前記正規の操作者だけが知り得る情報を考慮に入れ、鍵コードの特定だけでなく、前記無線携帯端末を使用する者が前記正規の操作者であるか否かの判断を行うものであることを特徴としている。
【００３７】
上記情報処理システム（６）によれば、前記第１〜前記第３の情報に、遠隔操作に前記所望の鍵コードを必要とする前記遠隔操作対象装置（例えば、車両に装備するドアロック装置）を操作すべき正規の操作者（例えば、前記車両の所有者）だけが知り得る情報（例えば、車両購入時に所有者が登録しておくパスワード）が含まれ、また、前記管理情報にも前記正規の操作者だけが知り得る情報が含まれ、前記正規の操作者だけが知り得る情報を考慮に入れて、鍵コードの特定だけでなく、前記無線形態端末（例えば、携帯電話）を使用する者が前記正規の操作者であるか否かの判断が行われる。
【００３８】
すなわち、上記情報処理システム（１）〜（３）のように、鍵コードを特定するための特定情報（例えば、ドアロック装置１が装備されている車両１３ａを特定するための車両番号）だけでなく、前記正規の操作者だけが知り得る情報を考慮に入れて、鍵コードの特定や、前記無線携帯端末を使用する者が前記正規の操作者であるか否かの判断が行われるので、鍵コードの特定をより精度良く行うことができるのはもちろん、車両１３ａの所有者でない別の人間が所持する携帯電話１２ａに、車両１３ａのドアロック装置１に利用される鍵コードが書き込まれるのを防止することができる。
【００３９】
また、本発明に係る情報処理システム（７）は、上記情報処理システム（６）において、前記正規の操作者だけが知り得る情報として、所定のサービス機関から前記正規の操作者へ提供されるカードなどの提供物に記載されている暗証コードなどの情報、又は前記提供物に記憶されている暗証コードなどの情報が含まれていることを特徴としている。
【００４０】
上記情報処理システム（７）によれば、前記正規の操作者（例えば、前記車両の所有者）だけが知り得る情報として、所定のサービス機関（例えば、前記車両に前記ドアロック装置を取り付けた車両販売事業者）から前記正規の操作者へ提供されるカードなどの提供物に記載されている暗証コードなどの情報、又は前記提供物に記憶されている暗証コードなどの情報が含まれ、これら情報を考慮に入れて、鍵コードの特定や、前記無線携帯端末を使用する者が前記正規の操作者であるか否かの判断が行われる。
【００４１】
このように、前記正規の操作者はパスワードなどを記憶しておかなくても、前記所定のサービス機関から提供されるカードなどの提供物をもっていれば良いだけであるので、前記正規の操作者にとって非常に使い勝手の良いシステムとすることができる。
【００４２】
また、本発明に係るサーバー（１）は、遠隔操作の対象となる遠隔操作対象装置の操作に必要となる鍵コードを格納し、格納している鍵コードをネットワークを介して、情報処理装置へ送信するサーバーであって、複数の鍵コードと、これら複数の鍵コードの管理に必要となる管理情報とを関連付けて記憶する第１の記憶手段と、前記情報処理装置から送信されてきた、鍵コードを特定するための特定情報など、所望の鍵コードをダウンロードするにあたって必要となる第１の情報に基づいて、前記第１の記憶手段を検索し、鍵コードの特定を行う第１の特定手段と、該第１の特定手段により特定された鍵コードを前記情報処理装置へ送信する第２の送信手段とを備えていることを特徴としている。
【００４３】
上記サーバー（１）によれば、前記情報処理装置（例えば、パソコン）から送信されてきた、遠隔操作の対象となる前記遠隔操作対象装置（例えば、車両に装備されるドアロック装置）の操作に必要となる鍵コードを特定するための前記特定情報（例えば、前記ドアロック装置が装備されている車両を特定する車両番号）に基づいて鍵コードが特定され、特定された鍵コードが前記情報処理装置へダウンロードされる。
【００４４】
従って、前記情報処理装置が、前記サーバーからダウンロードされた鍵コードを前記無線携帯端末（例えば、携帯電話）へ送出することができるように構成されていれば、鍵コードを必要とするドアロック装置やセキュリティ装置など、利用者の制限を設ける必要性のある既存の電子機器の遠隔操作を、携帯電話などの無線携帯端末で実現することができる。
【００４５】
また、本発明に係るサーバー（２）は、遠隔操作の対象となる遠隔操作対象装置の操作に必要となる鍵コードを格納し、格納している鍵コードをネットワークを介して、前記遠隔操作対象装置の遠隔操作を行う無線携帯端末へ送信するサーバーであって、複数の鍵コードと、これら複数の鍵コードの管理に必要となる管理情報とを関連付けて記憶する第３の記憶手段と、前記情報処理装置から送信されてきた、鍵コードを特定するための特定情報など、所望の鍵コードをダウンロードするにあたって必要となる第２の情報に基づいて、前記第３の記憶手段を検索し、鍵コードの特定を行う第２の特定手段と、該第２の特定手段により特定された鍵コードを前記無線携帯端末へ送信する第４の送信手段とを備えていることを特徴としている。
【００４６】
上記サーバー（２）によれば、前記無線携帯端末（例えば、携帯電話）で入力された、遠隔操作の対象となる前記遠隔操作対象装置（例えば、車両に装備されるドアロック装置）の操作に必要となる鍵コードを特定するための前記特定情報（例えば、前記ドアロック装置が装備されている車両を特定する車両番号）に基づいて鍵コードが特定され、特定された鍵コードが前記無線携帯端末へダウンロードされる。
従って、鍵コードを必要とするドアロック装置やセキュリティ装置など、利用者の制限を設ける必要性のある既存の電子機器の遠隔操作を、携帯電話などの無線携帯端末で実現することができる。
【００４７】
また、本発明に係る情報処理装置（１）は、遠隔操作の対象となる遠隔操作対象装置の操作に必要となる鍵コードを格納するサーバーとネットワークを介してデータのやり取りを行うことにより、前記サーバーに格納されている鍵コードをダウンロードし、ダウンロードした鍵コードを、遠隔操作機器として利用する無線携帯端末へ送出する情報処理装置であって、各種情報が入力される第１の入力手段と、該第１の入力手段により入力された、鍵コードを特定するための特定情報など、所望の鍵コードをダウンロードするにあたって必要となる第１の情報を前記サーバーへ送信する第１の送信手段と、前記サーバーにより前記特定情報に基づき特定され、送信されてきた鍵コードを前記無線携帯端末へ送出する第１の送出手段とを備えていることを特徴としている。
【００４８】
上記情報処理装置（１）によれば、遠隔操作の対象となる前記遠隔操作対象装置（例えば、車両に装備されるドアロック装置）の操作に必要となる鍵コードを特定するための前記特定情報（例えば、前記ドアロック装置が装備されている車両を特定する車両番号）に基づき、前記サーバーにて特定された鍵コードがダウンロードされ、ダウンロードされた鍵コードが前記無線携帯端末（例えば、携帯電話）へ送出される。
従って、鍵コードを必要とするドアロック装置やセキュリティ装置など、利用者の制限を設ける必要性のある既存の電子機器の遠隔操作を、携帯電話などの無線携帯端末で実現することができる。
【００４９】
また、本発明に係る情報処理装置（２）は、遠隔操作の対象となる遠隔操作対象装置の操作に必要となる鍵コードを格納し、格納している鍵コードを、前記遠隔操作対象装置の遠隔操作を行う無線携帯端末へ送出する情報処理装置であって、複数の鍵コードと、これら複数の鍵コードの管理に必要となる管理情報とを関連付けて記憶する第４の記憶手段と、各種情報が入力される第３の入力手段と、該第３の入力手段により入力された、鍵コードを特定するための特定情報など、所望の鍵コードを前記無線携帯端末へ送出するにあたって必要となる第３の情報に基づいて、前記第４の記憶手段を検索し、鍵コードの特定を行う第３の特定手段と、該第３の特定手段により特定された鍵コードを前記無線携帯端末へ送出する第２の送出手段とを備えていることを特徴としている。
【００５０】
上記情報処理装置（２）によれば、遠隔操作の対象となる前記遠隔操作対象装置（例えば、車両に装備されるドアロック装置）の操作に必要となる鍵コードを特定するための前記特定情報（例えば、前記ドアロック装置が装備されている車両を特定する車両番号）に基づいて鍵コードが特定され、特定された鍵コードが、前記携帯無線端末（例えば、携帯電話）へ送出される。
従って、鍵コードを必要とするドアロック装置やセキュリティ装置など、利用者の制限を設ける必要性のある既存の電子機器の遠隔操作を、携帯電話などの無線携帯端末で実現することができる。
【００５１】
また、本発明に係る無線携帯端末（１）は、遠隔操作の対象となる遠隔操作対象装置の遠隔操作機器として利用する無線携帯端末において、操作情報が入力される第４の入力手段と、前記操作情報と、該操作情報と対応する前記遠隔操作対象装置を遠隔操作するための遠隔操作情報とを関連付けて記憶する第５の記憶手段と、前記遠隔操作対象装置の操作に必要となる鍵コードを記憶する第６の記憶手段と、前記第４の入力手段により入力された遠隔情報に対応する前記第５の記憶手段に記憶されている遠隔操作情報に基づいて、前記第６の記憶手段に記憶されている鍵コードが付加された前記遠隔操作対象装置を遠隔操作するための遠隔操作信号を送出する第３の送出手段と、所定の条件が満たされたと判断すると、少なくとも鍵コードを含んで構成される前記遠隔操作信号の送出を不能にするための処理を行う処理手段とを備えていることを特徴としている。
【００５２】
上記無線携帯端末（１）によれば、前記第４の入力手段により入力された遠隔情報に対応する前記第５の記憶手段に記憶されている遠隔操作情報に基づいて、前記第６の記憶手段に記憶されている鍵コードが付加された前記遠隔操作対象装置（例えば、車両に装備されるドアロック装置）を遠隔操作するための遠隔操作信号が送出される。
従って、鍵コードを必要とするドアロック装置やセキュリティ装置など、利用者の制限を設ける必要性のある既存の電子機器の遠隔操作を、携帯電話などの無線携帯端末で実現することができる。
【００５３】
さらに、上記無線携帯端末（１）によれば、前記所定の条件が満たされると、遠隔操作ができなくなるようになっているので、例えば、前記所定の条件が盗難検出に設定されている場合には、前記無線携帯端末が盗まれたとしても、盗人による遠隔操作を不能とすることができるので、車両などの保安性を高めることができる。
【００５４】
また、本発明に係る無線携帯端末（２）は、上記無線携帯端末（１）において、前記所定の条件が、外部から送信されてくる所定の信号を受信すること、所定のタイミングから所定の期間が経過すること、所定の期間内に、所定の操作が行われないことのいずれかであることを特徴としている。
【００５５】
上記無線携帯端末（２）によれば、下記のａ〜ｃの条件のうちのいずれかが成立すると、前記無線携帯端末による遠隔操作が不能とされる。
ａ．外部から送信されてくる所定の信号を受信すること。
例えば、前記無線携帯端末の紛失などの連絡を受けると、無線通信回線を使って、前記無線携帯端末に対し、前記所定の信号を送信するサービスを行うサービス会社が設立されていれば、前記無線携帯端末の所有者は前記無線携帯端末を紛失した場合、前記サービス会社へ紛失の連絡をすることによって、前記無線携帯端末による遠隔操作を不能にすることができる。これにより、車両などの保安性を高めることができる。
【００５６】
ｂ．所定のタイミングから所定の期間が経過すること。
例えば、ある一定の期間が経過すると、前記無線携帯端末による遠隔操作が不能となるので、前記無線携帯端末が盗まれたとしても、盗人が前記遠隔操作対象装置が装備されている車両などを発見したときには、前記無線携帯端末による遠隔操作が不能となっているようにすることができる。これにより、車両などの保安性を高めることができる。
【００５７】
ｃ．所定の期間内に、所定の操作が行われないこと。
前記無線携帯端末を使って前記遠隔操作対象装置の遠隔操作を行うことができるようになっている場合、前記無線携帯端末を前記遠隔操作対象装置を操作すべき正規の操作者が所持していれば、前記所定の期間（例えば、２４時間）内に、何らかの遠隔操作が行われるはずである。にも拘らず、遠隔操作が行われない場合というのは、前記無線携帯端末を前記正規の操作者以外の人間が所持していると考えることができる。よって、前記所定の期間内に、前記所定の操作が行われない場合、遠隔操作をできないようにすることによって、車両などの保安性を高めることができる。
【００５８】
また、本発明に係る無線携帯端末（３）は、上記無線携帯端末（１）又は（２）において、前記処理手段が、前記第６の記憶手段に記憶されている鍵コードの消去、又は該鍵コードの書き換えを行うものであることを特徴としている。
【００５９】
上記無線携帯端末（３）によれば、前記所定の条件が満たされた場合には、前記第６の記憶手段に記憶されている鍵コードの消去、又は該鍵コードの書き換えが行われるので、前記無線携帯端末による遠隔操作をできなくすることはもちろん、盗人などによる鍵コードの解析についてもできなくすることができる。
【００６０】
また、本発明に係るプログラム（１）は、遠隔操作の対象となる遠隔操作対象装置の遠隔操作機器として利用するものであり、操作情報が入力される第４の入力手段と、前記操作情報と、該操作情報と対応する前記遠隔操作対象装置を遠隔操作するための遠隔操作情報とを関連付けて記憶する第５の記憶手段と、前記遠隔操作対象装置の操作に必要となる鍵コードを記憶する第６の記憶手段と、前記第４の入力手段により入力された遠隔情報に対応する前記第５の記憶手段に記憶されている遠隔操作情報に基づいて、前記第６の記憶手段に記憶されている鍵コードが付加された前記遠隔操作対象装置を遠隔操作するための遠隔操作信号を送出する第３の送出手段とを備えた無線携帯端末に搭載されるコンピュータに下記の機能を実現させるためのプログラムであって、前記機能が、所定の条件が満たされたと判断すると、少なくとも鍵コードを含んで構成される前記遠隔操作信号の送出を不能にするための処理を行うことであることを特徴としている。
【００６１】
上記プログラム（１）を前記無線携帯端末に搭載されるコンピュータで実行させることによって、前記所定の条件が満たされると、遠隔操作ができなくなるようになっているので、例えば、前記所定の条件が盗難検出に設定されている場合には、前記無線携帯端末が盗まれたとしても、盗人による遠隔操作を不能とすることができるので、車両などの保安性を高めることができる。
【００６２】
【発明の実施の形態】
以下、本発明に係る情報処理システム、サーバー、情報処理装置、無線携帯端末、及びプログラムの実施の形態を図面に基づいて説明する。
【００６３】
図４は、実施の形態（１）に係る情報処理システムの要部を概略的に示したブロック図である。また、先に説明した図１は、実施の形態（１）に係る情報処理システムを採用した場合における、鍵コードを携帯電話へ書き込む流れを説明するための説明図である。
【００６４】
携帯電話１２ａ（本発明の無線携帯端末に対応）は各種の制御を行う制御部１０１と、アンテナ１０２を介して外部と無線通信を行う通信部１０３と、制御部１０１における処理結果やパソコン２３ａ（本発明の情報処理装置に対応）から送信されてくる遠隔操作データ及び鍵コードなどを格納するためのメモリ１０４と、文字情報などを表示する表示部１０５と、各種操作内容を入力するための入力部１０６と、発光素子１０７（例えば、発光ダイオード）と、発光素子１０７を発光させて遠隔操作信号を送出させるドライバ１０８とを含んで構成されている。また、制御部１０１はパソコン２３ａから送信されてくるデータを取り込むことができるようになっている。
【００６５】
通信事業者２１ａ（図１参照）に設置されているパソコン２３ａは各種の制御を行う制御部２０１と、ネットワーク２４ａに接続され、ネットワーク２４ａを介して各種データのやり取りを行うための通信部２０２と、制御部２０１における処理結果やサーバー２５ａから送信されてくるデータなどを格納するためのメモリ２０３と、文字情報などを表示する表示部２０４と、各種操作内容を入力するための入力部２０５と、携帯電話１２ａへデータを送出する送出部２０６とを含んで構成されている。
【００６６】
車両販売事業者が運営管理するサーバー２５ａは各種の制御を行う制御部３０１と、ネットワーク２４ａに接続され、ネットワーク２４ａを介して各種データのやり取りを行うための通信部３０２と、制御部３０１における処理結果やパソコン２３ａから送信されてくるデータなどを格納するためのメモリ３０３と、ドアロック装置１（図１参照）を遠隔操作するための遠隔操作データを格納するメモリ３０４と、データベース３０５とを含んで構成されている。
【００６７】
なお、パソコン２３ａの通信部２０２、及びサーバー２５ａの通信部３０２にはネットワーク２４ａを用いて行う通信内容の機密性を確保するための暗号化及び複合化処理を行う機能が内蔵されており、ネットワーク２４ａを介して第三者がパソコン２３ａ及びサーバー２５ａ間で行う通信内容を盗聴できないようになっている。
【００６８】
前記遠隔操作データには、携帯電話１２ａを遠隔操作機器として動作させるためのアプリケーションプログラムＰ１が含まれている。また、データベース３０５に格納されているファイルには、顧客情報ファイル３０６と、鍵コードファイル３０７と、通信事業者ファイル３０８とが含まれている。
【００６９】
顧客情報ファイル３０６は、車両販売事業者の顧客（例えば、前記車両販売事業者から車両を購入した者）に関する情報を記憶するファイルであり、図５（ａ）に示したように、ＩＤコード、顧客名、住所、電話番号（自宅）、電話番号（携帯電話）、生年月日、メールアドレス、車両番号（一）、車両番号（二）など、顧客に関する情報が格納されている。
【００７０】
鍵コードファイル３０７は、図５（ｂ）に示したように、顧客が購入した車両の車両番号と、前記車両に装備されているドアロック装置に割り当てられている鍵コードとを対応付けて記憶させたものであり、例えば、車両番号「神戸×××い××−××」である車両に装備されているドアロック装置１（図１、図１６参照）には鍵コード「３７２５９」が割り当てられていることを示している。なお、ドアロック装置１に割り当てられている鍵コードとは、ドアロック装置１を構成するＥＥＰＲＯＭ３（図１６参照）に記憶されている鍵コードである。
【００７１】
通信事業者ファイル３０８は、車両販売事業者と提携し、該車両販売事業者の顧客が所有する携帯電話１２ａに鍵コード及び遠隔操作データを書き込むサービスを行う通信事業者２１ａに関する情報を記憶するファイルであり、図５（ｃ）に示したように、ＩＤコード、事業者名、店舗名、所在地、電話番号、各店舗毎に割り当てられたパスワードなど、提携する通信事業者２１ａに関する情報が格納されている。
【００７２】
次に、実施の形態（１）に係る情報処理システムにおけるパソコン２３ａ（の制御部２０１）と、サーバー２５ａ（の制御部３０１）と、携帯電話１２ａ（の制御部１０１）とにおける処理動作▲１▼を図６に示したフローチャートに基づいて説明する。まず、パソコン２３ａからネットワーク２４ａに対して所定のＵＲＬ（Ｕｎｉｆｏｒｍ　Ｒｅｓｏｕｒｃｅ　Ｌｏｃａｔｏｒ）へアクセスされ、サーバー２５ａへ接続されると（ステップＳ１）、サーバー２５ａはパソコン２３ａへトップ画面データを送信する（ステップＳ２）。
【００７３】
パソコン２３ａでは前記トップ画面データを受信すると（ステップＳ３）、受信した前記トップ画面データに基づいて、ＩＤコード及びパスワードの入力が可能な画面を表示部２０４に表示し（ステップＳ４）、この画面を通じて、通信事業者２１ａのＩＤコード及びパスワードが入力され、入力されたこれら情報の送信指示があると、これら情報をサーバー２５ａへ送信する（ステップＳ５）。
【００７４】
サーバー２５ａではパソコン２３ａから送信されてくるＩＤコード及びパスワードを受信すると（ステップＳ６）、受信したＩＤコード及びパスワードに基づいて、通信事業者ファイル３０８を検索し、パソコン２３ａの使用者が正規の通信事業者であるか否かを判断する（ステップＳ７）。
【００７５】
正規の通信事業者であると判断すれば、顧客情報入力画面データをパソコン２３ａへ送信する（ステップＳ８）。一方、正規の通信事業者でないと判断すれば、前記使用者に対して警告するための処理、又は再度ＩＤコード及びパスワードの入力を促す処理などを行う。
【００７６】
パソコン２３ａでは前記顧客情報入力画面データを受信すると（ステップＳ９）、受信した前記顧客情報入力画面データに基づいて、顧客の名前、住所、生年月日、及び顧客の購入した車両の車両番号の入力が可能な顧客情報入力画面を表示部２０４へ表示し（ステップＳ１０）、この顧客情報入力画面を通じて、通信事業者２１ａに訪れた携帯電話１２ａを所持している所持者１１ａ（図１参照）の名前、住所、生年月日、及び車両１３ａの車両番号が入力され、入力されたこれら情報の送信指示があると、これら情報をサーバー２５ａへ送信する（ステップＳ１１）。なお、これら情報は所持者１１ａから、通信事業者２１ａの従業員２２ａ（図１参照）に対して伝えられる情報であり、名前、住所、生年月日については、所持者１１ａの運転免許証で確認することのできる情報である。
【００７７】
サーバー２５ａではパソコン２３ａから送信されてくるこれら情報を受信すると（ステップＳ１２）、受信したこれら情報に基づいて、顧客情報ファイル３０６を検索し、通信事業者２１ａを訪れている所持者１１ａが正規の顧客であるか否かを判断する（ステップＳ１３）。
【００７８】
正規の顧客であると判断すれば、鍵コードファイル３０７を検索し、ステップＳ１２で受信した車両番号に対応する鍵コードを特定し（ステップＳ１４）、次に、メモリ３０４に格納されている遠隔操作データを読み出し（ステップＳ１５）、読み出した遠隔操作データとステップＳ１４で特定した鍵コードとをネットワーク２４ａを介してパソコン２３ａへ送信する（ステップＳ１６）。一方、正規の顧客でないと判断すれば、前記使用者に対して警告するための処理、又は再度顧客情報の入力を促す処理などを行う。
【００７９】
パソコン２３ａではサーバー２５ａから送信されてくる遠隔操作データ及び鍵コードを受信すると（ステップＳ１７）、受信した遠隔操作データ及び鍵コードをメモリ２０３へ格納し（ステップＳ１８）、次に、遠隔操作データ及び鍵コードを送出部２０６から携帯電話１２ａへ送出する（ステップＳ１９）。
【００８０】
携帯電話１２ａではパソコン２３ａから送出されてくる遠隔操作データ及び鍵コードを受信すると（ステップＳ２０）、受信した遠隔操作データ及び鍵コードをメモリ１０４に格納する（ステップＳ２１）。このように、遠隔操作データ及び鍵コードをメモリ１０４に格納した後は、携帯電話１２ａを使ってドアロック装置１の遠隔操作を行うことができるようになる。
【００８１】
上記実施の形態（１）に係る情報処理システムによれば、遠隔操作の対象となる車両１３ａに装備されるドアロック装置１の操作に必要となる鍵コードを特定するための特定情報（ここでは、車両１３ａの車両番号）に基づき、サーバー２５ａにて特定された鍵コードと遠隔操作データとがパソコン２３ａへダウンロードされ、ダウンロードされた鍵コードと遠隔操作データとがパソコン２３ａから携帯電話１２ａへ送出される。これにより、利用者の制限を設ける必要のある既存のドアロック装置１の遠隔操作を携帯電話１２ａで実現することができる。
【００８２】
また、サーバー２５ａでの鍵コードの特定を、車両１３ａの車両番号だけでなく、車両１３ａの所有者の名前、住所、生年月日を考慮に入れているため、鍵コードの特定を精度良く行うことができるのはもちろん、車両１３ａの真の所有者でない別の人間が所持する携帯電話１２ａに、車両１３ａのドアロック装置１に利用される鍵コードが書き込まれるのを防止することができる。
【００８３】
なお、上記実施の形態（１）に係る情報処理システムでは、顧客情報として、パソコン２３ａから顧客の名前、住所、生年月日、及び顧客の購入した車両の車両番号を示す情報をサーバー２５ａへ送信し、サーバー２５ａではこれら情報に基づいて、所持者１１ａが正規の顧客（すなわち、車両１３ａの真の所有者）であるか否かといった判断や鍵コードの特定を行っているが、前記判断や前記特定に利用できる顧客情報はこれら情報に限定されるものではない。
【００８４】
例えば、別の実施の形態に係る情報処理システムでは、所持者１１ａが所持する携帯電話１２ａ（すなわち、鍵コードの書き込み先となる携帯電話１２ａ）の電話番号を、前記判断や前記特定に用いるようにしても良い。
【００８５】
図５（ａ）に示したように、サーバー２５ａの顧客情報ファイル３０６に顧客の所有する携帯電話の電話番号が登録されていれば、携帯電話１２ａの電話番号に基づいて、携帯電話１２ａが正規の顧客のものであるか否かの判断を行うことができる。なお、携帯電話１２ａの電話番号については、通常、表示部１０５に表示されるようになっているため、表示部１０５に表示された内容から携帯電話１２ａの電話番号を確認することができる。
【００８６】
また、最近の携帯電話１２ａは、その所有者だけが知り得る暗証番号などが登録されるようになっているため、通信事業者２１ａに訪れている所持者１１ａが、前記暗証番号を知っているか否かによって、所持者１１ａが携帯電話１２ａの所有者であるか否かを判断することができる。
【００８７】
これにより、所持者１１ａが正規の顧客であるか否かの判断を直接行うことができなかったとしても、携帯電話１２ａが正規の顧客のものであることが判明し、なおかつ所持者１１ａが携帯電話１２ａの所有者であることが判明すれば、これら２つの命題から、所持者１１ａが正規の顧客であると判断することができる。
【００８８】
なお、通信事業者２１ａに訪れている所持者１１ａが、携帯電話１２ａの所有者であるか否かの判断については、所持者１１ａが携帯電話１２ａに登録されている暗証番号を知っているか否かの判断だけではなく、携帯電話１２ａに所有者の指紋情報や話者情報などを登録することができ、さらに指紋認識や話者認識などの機能が装備されていれば、このような機能を使って、所持者１１ａが携帯電話１２ａの所有者であるか否かの判断を行うようにしても良い。
【００８９】
また、上記実施の形態（１）に係る情報処理システムでは、サーバー２５ａからパソコン２３ａへ遠隔操作データと鍵コードとを一緒に送信させ、パソコン２３ａから携帯電話１２ａへも遠隔操作データと鍵コードとを一緒に送信させるようにしているが、別の実施の形態に係る情報処理システムでは、遠隔操作データと鍵コードとを異なるタイミングで送信させるようにしても良い。
【００９０】
また、遠隔操作データについては、携帯電話１２ａがサーバー２５ａから直接取り込んでも良く、また、パソコン２３ａに遠隔操作データを格納させておき、サーバー２５ａからパソコン２３ａへの遠隔操作データの送信処理を削除するようにしても良い。
【００９１】
また、上記実施の形態（１）に係る情報処理システムでは、通信事業者２１ａに設置されたパソコン２３ａを使って、携帯電話１２ａへ鍵コードを送出するようにしているが、パソコン２３ａは通信事業者２１ａに設置される場合に限定されるものではなく、車両販売事業者などに設置されたものであっても良い。
【００９２】
図７は、実施の形態（２）に係る情報処理システムの要部を概略的に示したブロック図である。なお、図４に示した情報処理システムと同様の構成部分については同符号を付している。また、先に説明した図２は、実施の形態（２）に係る情報処理システムを採用した場合における、鍵コードを携帯電話へ書き込む流れを説明するための説明図である。
【００９３】
携帯電話１２ｂ（本発明の無線携帯端末に対応）は各種の制御を行う制御部１１１と、アンテナ１０２を介して外部と無線通信を行う通信部１０３と、制御部１１１における処理結果やサーバー２５ｂから送信されてくる遠隔操作データ及び鍵コードなどを格納するためのメモリ１０４と、文字情報などを表示する表示部１０５と、各種操作内容を入力するための入力部１０６と、発光素子１０７（例えば、発光ダイオード）と、発光素子１０７を発光させて遠隔操作信号を送出させるドライバ１０８とを含んで構成されている。
【００９４】
車両販売事業者が運営管理するサーバー２５ｂは各種の制御を行う制御部３１１と、ネットワーク２４ｂに接続され、ネットワーク２４ｂを介して各種データのやり取りを行うための通信部３０２と、制御部３１１における処理結果や携帯電話１２ｂから送信されてくるデータなどを格納するためのメモリ３０３と、ドアロック装置１を遠隔操作するための遠隔操作データを格納するメモリ３０４と、データベース３１５とを含んで構成されている。
【００９５】
前記遠隔操作データには、携帯電話１２ｂを遠隔操作機器として動作させるためのアプリケーションプログラムＰ１が含まれている。また、データベース３１５に格納されているファイルには、顧客情報ファイル３０６（図５（ａ）参照）と、鍵コードファイル３０７（図５（ｂ）参照）とが含まれている。
【００９６】
次に、実施の形態（２）に係る情報処理システムにおける携帯電話１２ｂ（の制御部１１１）と、サーバー２５ｂ（の制御部３１１）とにおける処理動作▲２▼を図８に示したフローチャートに基づいて説明する。まず、携帯電話１２ｂから基地局２６ｂを介し、ネットワーク２４ｂに対して所定のＵＲＬへアクセスされ、サーバー２５ｂへ接続されると（ステップＳ３１）、サーバー２５ｂは携帯電話１２ｂへ、顧客情報の入力が可能なトップ画面データを送信する（ステップＳ３２）。
【００９７】
携帯電話１２ｂでは前記トップ画面データを受信すると（ステップＳ３３）、受信した前記トップ画面データに基づいて、顧客の名前、住所、生年月日、及び顧客の購入した車両の車両番号の入力が可能なトップ画面を表示部１０５へ表示し（ステップＳ３４）、このトップ画面を通じて、携帯電話１２ｂを所持している所持者１１ｂ（図２参照）の名前、住所、生年月日、及び車両１３ｂ（図２参照）の車両番号が入力され、入力されたこれら情報の送信指示があると、これら情報をサーバー２５ｂへ送信する（ステップＳ３５）。
【００９８】
サーバー２５ｂでは携帯電話１２ｂから送信されてくるこれら情報を受信すると（ステップＳ３６）、受信したこれら情報に基づいて、顧客情報ファイル３０６を検索し、携帯電話１２ｂの所持者１１ｂが正規の顧客であるか否かを判断する（ステップＳ３７）。
【００９９】
正規の顧客であると判断すれば、鍵コードファイル３０７を検索し、ステップＳ３６で受信した車両番号に対応する鍵コードを特定し（ステップＳ３８）、次に、メモリ３０４に格納されている遠隔操作データを読み出し（ステップＳ３９）、読み出した遠隔操作データと特定した鍵コードとをネットワーク２４ｂを介して携帯電話１２ｂへ送信する（ステップＳ４０）。一方、正規の顧客でないと判断すれば、所持者１１ｂに対して警告するための処理、又は再度顧客情報の入力を促す処理などを行う。
【０１００】
携帯電話１２ｂではサーバー２５ｂから送信されてくる遠隔操作データ及び鍵コードを受信すると（ステップＳ４１）、受信した遠隔操作データ及び鍵コードをメモリ１０４に格納する（ステップＳ４２）。このように、遠隔操作データ及び鍵コードをメモリ１０４に格納した後は、携帯電話１２ｂを使ってドアロック装置１（図２参照）の遠隔操作を行うことができるようになる。
【０１０１】
上記実施の形態（２）に係る情報処理システムによれば、遠隔操作の対象となる車両１３ｂに装備されるドアロック装置１の操作に必要となる鍵コードを特定するための特定情報（ここでは、車両１３ｂの車両番号）に基づき、サーバー２５ｂにて特定された鍵コードと遠隔操作データとが携帯電話１２ｂへダウンロードされる。これにより、利用者の制限を設ける必要のある既存のドアロック装置１の遠隔操作を携帯電話１２ｂで実現することができる。
【０１０２】
また、サーバー２５ｂでの鍵コードの特定を、車両１３ｂの車両番号だけでなく、車両１３ｂの所有者の名前、住所、生年月日を考慮に入れているため、鍵コードの特定を精度良く行うことができるのはもちろん、車両１３ｂの真の所有者でない別の人間が所持する携帯電話１２ｂに、車両１３ｂに装備されるドアロック装置１に利用される鍵コードが書き込まれるのを防止することができる。
【０１０３】
なお、上記実施の形態（２）に係る情報処理システムでは、顧客情報として、携帯電話１２ｂから顧客の名前、住所、生年月日、及び顧客の購入した車両の車両番号を示す情報をサーバー２５ｂへ送信し、サーバー２５ｂではこれら情報に基づいて、携帯電話１２ｂの所持者１１ｂが正規の顧客（すなわち、車両１３ｂの真の所有者）であるか否かといった判断や鍵コードの特定を行っているが、前記判断や前記特定に利用できる顧客情報はこれら情報に限定されるものではない。
【０１０４】
例えば、別の実施の形態に係る情報処理システムでは、所持者１１ｂが所持する携帯電話１２ｂ（すなわち、鍵コードの書き込み先となる携帯電話１２ｂ）の電話番号を、前記判断や前記特定に用いるようにしても良い。
【０１０５】
図５（ａ）に示したように、サーバー２５ｂの顧客情報ファイル３０６に顧客の所有する携帯電話の電話番号が登録されていれば、携帯電話１２ｂの電話番号に基づいて、携帯電話１２ｂが正規の顧客のものであるか否かの判断を行うことができる。なお、携帯電話１２ｂの電話番号を示す情報については、ネットワーク２４ｂを介して自動的にサーバー２５ｂへ送信されるようになっているため、サーバー２５ｂでは携帯電話１２ｂの電話番号を把握することができるようになっている。
【０１０６】
また、上記実施の形態（２）に係る情報処理システムでは、サーバー２５ｂから携帯電話１２ｂへ遠隔操作データと鍵コードとを一緒に送信させるようにしているが、別の実施の形態に係る情報処理システムでは、遠隔操作データと鍵コードとを異なるタイミングで送信させるようにしても良い。
【０１０７】
図９は、実施の形態（３）に係る情報処理システムの要部を概略的に示したブロック図である。なお、図４に示した情報処理システムと同様の構成部分については同符号を付している。また、先に説明した図３は、実施の形態（３）に係る情報処理システムを採用した場合における、鍵コードを携帯電話へ書き込む流れを説明するための説明図である。
【０１０８】
携帯電話１２ｃは各種の制御を行う制御部１２１と、アンテナ１０２を介して外部と無線通信を行う通信部１０３と、制御部１２１における処理結果やパソコン２３ｃ（本発明の情報処理装置に対応）から送信されてくる遠隔操作データ及び鍵コードなどを格納するためのメモリ１０４と、文字情報などを表示する表示部１０５と、各種操作内容を入力するための入力部１０６と、発光素子１０７（例えば、発光ダイオード）と、発光素子１０７を発光させて遠隔操作信号を送出させるドライバ１０８とを含んで構成されている。また、制御部１２１はパソコン２３ｃから送信されてくるデータを取り込むことができるようになっている。
【０１０９】
車両販売事業者２１ｃ（図３参照）に設置されているパソコン２３ｃは各種の制御を行う制御部２２１と、制御部２２１における処理結果などを格納するためのメモリ２０３と、文字情報などを表示する表示部２０４と、各種操作内容を入力するための入力部２０５と、携帯電話１２ｃへ遠隔操作データを送出する送出部２０６と、ドアロック装置１（図３参照）を遠隔操作するための遠隔操作データを格納するメモリ２２２と、データベース２２３とを含んで構成されている。
【０１１０】
前記遠隔操作データには、携帯電話１２ｃを遠隔操作機器として動作させるためのアプリケーションプログラムＰ１が含まれている。また、データベース２２３に格納されているファイルには、顧客情報ファイル２２４（図５（ａ）参照）と、鍵コードファイル２２５（図５（ｂ）参照）とが含まれている。
【０１１１】
次に、実施の形態（３）に係る情報処理システムにおけるパソコン２３ｃ（の制御部２２１）の行う処理動作▲３▼を図１０に示したフローチャートに基づいて説明する。まず、顧客の名前、住所、生年月日、及び顧客の購入した車両の車両番号の入力が可能な顧客情報入力画面を表示部２０４へ表示する（ステップＳ５１）。
【０１１２】
次に、この顧客情報入力画面を通じて、車両販売事業者２１ｃに訪れた携帯電話１２ｃを所持している所持者１１ｃ（図３参照）の名前、住所、生年月日、及び車両１３ｃ（図３参照）の車両番号の入力が完了したか否かを判断し（ステップＳ５２）、入力が完了したと判断すれば、入力されたこれら情報に基づいて、顧客情報ファイル２２４を検索し、携帯電話１２ｃの所持者１１ｃが正規の顧客であるか否かを判断する（ステップＳ５３）。
【０１１３】
正規の顧客であると判断すれば、鍵コードファイル２２５を検索し、入力された車両番号に対応する鍵コードを特定し（ステップＳ５４）、次に、メモリ２２２に格納されている遠隔操作データを読み出し（ステップＳ５５）、読み出した遠隔操作データとステップＳ５４で特定した鍵コードとを携帯電話１２ｃへ送信する（ステップＳ５６）。一方、正規の顧客でないと判断すれば、車両販売事業者２１ｃの従業員２２ｃ（図３参照）に対して警告するための処理、又は再度顧客情報の入力を促す処理などを行う。
【０１１４】
携帯電話１２ｃではパソコン２３ｃから送信されてくる遠隔操作データ及び鍵コードを受信すると、受信した遠隔操作データ及び鍵コードをメモリ１０４に格納するようになっている。このように、遠隔操作データ及び鍵コードをメモリ１０４に格納した後は、携帯電話１２ｃを使ってドアロック装置１（図３参照）の遠隔操作を行うことができるようになっている。
【０１１５】
上記実施の形態（３）に係る情報処理システムによれば、パソコン２３ｃで特定情報（ここでは、車両１３ｃの車両番号）に基づき特定された鍵コードが、パソコン２３ｃから携帯電話１２ｃへ送出される。これにより、利用者の制限を設ける必要性のある既存のドアロック装置１の遠隔操作を携帯電話１２ｃで実現することができる。
【０１１６】
また、パソコン２３ｃでの鍵コードの特定を、車両１３ｃの車両番号だけでなく、車両１３ｃの所有者の名前、住所、生年月日を考慮に入れているため、鍵コードの特定を精度良く行うことができるのはもちろん、車両１３ｃの真の所有者でない別の人間が所持する携帯電話１２ｃに、車両１３ｃに装備されるドアロック装置１に利用される鍵コードが書き込まれるのを防止することができる。
【０１１７】
なお、上記実施の形態（３）に係る情報処理システムでは、顧客情報として、顧客の名前、住所、生年月日、及び顧客の購入した車両の車両番号を示す情報がパソコン２３ｃへ入力され、パソコン２３ｃでは入力されたこれら情報に基づいて、携帯電話１２ｃの所持者１１ｃが正規の顧客（すなわち、車両１３ｃの真の所有者）であるか否かといった判断や鍵コードの特定を行っているが、前記判断や前記特定に利用できる顧客情報はこれら情報に限定されるものではない。
【０１１８】
例えば、別の実施の形態に係る情報処理システムでは、所持者１１ｃが所持する携帯電話１２ｃ（すなわち、鍵コードの書き込み先となる携帯電話１２ｃ）の電話番号を、前記判断や前記特定に用いるようにしても良い。
【０１１９】
図５（ａ）に示したように、顧客情報ファイル２２４に顧客の所有する携帯電話の電話番号が登録されていれば、携帯電話１２ｃの電話番号に基づいて、携帯電話１２ｃが正規の顧客のものであるか否かの判断を行うことができる。なお、携帯電話１２ｃの電話番号については、通常、表示部１０５に表示されるようになっているため、表示部１０５に表示された内容から携帯電話１２ｃの電話番号を確認することができる。
【０１２０】
また、上記実施の形態（３）に係る情報処理システムでは、パソコン２３ｃから携帯電話１２ｃへ遠隔操作データと鍵コードとを一緒に送信させるようにしているが、別の実施の形態に係る情報処理システムでは、遠隔操作データと鍵コードとを異なるタイミングで送信させるようにしても良い。
【０１２１】
また、上記実施の形態（１）〜（３）に係る情報処理システムでは、顧客の名前、住所、及び生年月日などの顧客に関する情報に基づいて、携帯電話１２ａを所持している所持者１１ａが、正規の顧客であるか否かを判断しているが、別の実施の形態に係る情報処理システムでは、車両販売事業者での車両購入時に顧客それぞれがパスワードを設定するようにし、このパスワードを図１１に示したように、顧客情報ファイルに登録しておき、この登録しておいたパスワード、すなわち顧客だけが知り得る情報に基づいて前記判断を行うようにしても良い。
【０１２２】
このような顧客だけが知り得る情報としては、顧客が予め登録しておくパスワード以外に、車両販売事業者で発行され、顧客に渡されるカードに記載されている暗証コードや、前記カードに内蔵されたチップに記憶されている暗証コードなどが挙げられる。
【０１２３】
また、上記実施の形態（１）〜（３）に係る情報処理システムでは、携帯電話１２ａ〜１２ｃを遠隔操作機器として動作させるための遠隔操作データを、サーバー２５ａからネットワーク２４ａ及びパソコン２３ａを介して携帯電話１２ａへ送信させたり、サーバー２５ｂからネットワーク２４ｂを介して携帯電話１２ｂへ送信させたり、パソコン２３ｃから携帯電話１２ｃへ送信させたりしているが、別の実施の形態に係る情報処理システムでは、前記遠隔操作データを、遠隔操作の対象となる遠隔操作対象装置（ここではドアロック装置１）から携帯電話１２ａ〜１２ｃへ送信させるようにしても良い。
【０１２４】
また、さらに別の実施の形態では、前記遠隔操作データとして、携帯電話１２ａ〜１２ｃの表示部１０５へ表示させるための操作画面に対応する操作画面データを前記遠隔操作対象装置から携帯電話１２ａ〜１２ｃへ送信させるようにしても良い。例えば、携帯電話１２ａ〜１２ｃから発光素子１０７を使って、前記遠隔操作対象装置へ向けて前記操作画面データを要求する要求信号を送信させるようにし、該要求信号を受信した前記遠隔操作対象装置が前記操作画面データを含んで構成される信号を外部へ送信させるようにする。
【０１２５】
なお、これを実現するには、携帯電話１２ａ〜１２ｃに前記遠隔操作対象装置から送信されてくる信号を受信するためのフォト・トランジスタなどの受信部を設ける必要や、前記遠隔操作対象装置に前記信号を送信するための送信部を設ける必要がある。
【０１２６】
また、安全性を確保するために、携帯電話１２ａ〜１２ｃから前記要求信号と合わせてＩＤコードを送信させるようにし、前記遠隔操作対象装置では送信されてくるＩＤコードに基づいて、前記操作画面データを送信すべきか否かを判定させるようにしても良い。なお、このＩＤコードについては、鍵コードと兼用しても良い。また、前記遠隔操作対象装置については、ドアロック装置１に限定されることはなく、ナビゲーション装置やオーディオ装置などであっても良い。
【０１２７】
図１２は、実施の形態（４）に係る無線携帯端末の要部を概略的に示したブロック図である。但し、図４に示した情報処理システムを構成する携帯電話１２ａと同様の構成部分については、同符号を付している。
【０１２８】
図中１２ｄは携帯電話（本発明の無線携帯端末に対応）を示しており、携帯電話１２ｄは各種の制御を行う制御部１３１と、アンテナ１０２を介して外部と無線通信を行う通信部１０３と、制御部１３１における処理結果などを格納するためのメモリ１０４と、文字情報などを表示する表示部１０５と、各種操作内容を入力するための入力部１０６と、発光素子１０７（例えば、発光ダイオード）と、発光素子１０７を発光させて遠隔操作信号を送出させるドライバ１０８と、車両１３ｄに装備されているドアロック装置１を遠隔操作するための遠隔操作データ、ドアロック装置１の遠隔操作に必要となる鍵コード、鍵コード消去データなどを格納するためのメモリ１３２とを含んで構成されている。
【０１２９】
前記遠隔操作データには、携帯電話１２ｄを遠隔操作機器として動作させるためのアプリケーションプログラムＰ１が含まれている。また、前記鍵コード消去データには、所定の条件が満たされると、メモリ１３２に記憶されている鍵コードを消去するためのアプリケーションプログラムＰ２が含まれている。
【０１３０】
次に、実施の形態（４）に係る無線携帯端末（携帯電話１３ｄ）における制御部１３１の行う処理動作▲４▼（すなわち、制御部１３１を構成するコンピュータに、アプリケーションプログラムＰ２を実行させることによって実現される機能）を図１３に示したフローチャートに基づいて説明する。
【０１３１】
まず、アンテナ１０２を介して、通信部１０３で緊急信号が受信されたか否かを判断する（ステップＳ６１）。なお、前記緊急信号は無線通信回線を通じて、外部から（例えば、電話番号を利用して）携帯電話１２ｄ宛へ送信されてくる信号である。
【０１３２】
通信部１０３で前記緊急信号が受信されたと判断すれば、メモリ１３２に記憶されている鍵コードを消去することによって、車両１３ｄに装備されているドアロック装置１の遠隔操作をできないようにする（ステップＳ６２）。一方、通信部１０３で前記緊急信号が受信されていないと判断すれば、ドアロック装置１の遠隔操作をできないようにする必要がないため、そのまま処理動作▲４▼を終了する。
【０１３３】
上記実施の形態（４）に係る無線携帯端末によれば、前記緊急信号が受信されと、メモリ１３２に記憶されている鍵コードが消去され、車両１３ｄに装備されているドアロック装置１の遠隔操作ができなくなるようになっているので、例えば、携帯電話１２ｄの紛失などの連絡を受けると、無線通信回線を使って、携帯電話１２ｄ宛に、前記緊急信号を送信するサービスを行うサービス会社が設立されていれば、携帯電話１２ｄの所有者は携帯電話１２ｄを紛失した場合、前記サービス会社へ紛失の連絡をすることによって、携帯電話１２ｄによる遠隔操作を不能にすることができる。これにより、車両１３ｄの保安性を高めることができる。
【０１３４】
次に、実施の形態（５）に係る無線携帯端末について説明する。但し、前記無線携帯端末については、携帯電話１２ｄ、携帯電話１２ｄを構成する制御部１３１、及びメモリ１３２を除いて、図１２に示した無線携帯端末の構成と同様であるため、携帯電話、制御部、及びメモリには異なる符号を付し、その他の説明をここでは省略する。
【０１３５】
図中１３２Ａはメモリを示しており、メモリ１３２Ａには車両１３ｄに装備されているドアロック装置１を遠隔操作するための遠隔操作データ、ドアロック装置１の遠隔操作に必要となる鍵コード、鍵コード消去データなどを格納するものである。
【０１３６】
また、前記遠隔操作データには、携帯電話１２ｅを遠隔操作機器として動作させるためのアプリケーションプログラムＰ１が含まれている。また、前記鍵コード消去データには、所定の条件が満たされると、メモリ１３２Ａに記憶されている鍵コードを消去するためのアプリケーションプログラムＰ３が含まれている。
【０１３７】
次に、実施の形態（５）に係る無線携帯端末（携帯電話１２ｅ）における制御部１３１Ａの行う処理動作▲５▼（すなわち、制御部１３１Ａを構成するコンピュータに、アプリケーションプログラムＰ３を実行させることによって実現される機能）を図１４に示したフローチャートに基づいて説明する。まず、タイマｔ１を０にしてスタートさせ（ステップＳ７１）、次に、タイマｔ１　が所定の期間Ｔ１
（例えば、１週間）経過したか否かを判断する（ステップＳ７２）。
【０１３８】
タイマｔ１が所定の期間Ｔ１経過していると判断すれば、メモリ１３２Ａに記憶されている鍵コードを消去することによって、車両１３ｄに装備されているドアロック装置１の遠隔操作をできないようにする（ステップＳ７３）。一方、タイマｔ１が所定の期間Ｔ１経過していないと判断すれば、そのまま処理動作▲５▼を終了する。
【０１３９】
上記実施の形態（５）に係る無線携帯端末によれば、所定の期間Ｔ１が経過すると、メモリ１３２Ａに記憶されている鍵コードが消去され、車両１３ｄに装備されているドアロック装置１の遠隔操作ができなくなるようになっている。すなわち、定期的に鍵コードが消去されるので、その都度、鍵コードを登録し直す必要があるようになっている。
従って、例えば、携帯電話１２ｅが盗まれたとしても、盗人が車両１３ｄを発見したときには、携帯電話１２ｅによる遠隔操作が不能となっているようにすることができる。これにより、車両１３ｄの保安性を高めることができる。
【０１４０】
次に、実施の形態（６）に係る無線携帯端末について説明する。但し、前記無線携帯端末については、携帯電話１２ｄ、携帯電話１２ｄを構成する制御部１３１、及びメモリ１３２を除いて、図１２に示した無線携帯端末の構成と同様であるため、携帯電話、制御部、及びメモリには異なる符号を付し、その他の説明をここでは省略する。
【０１４１】
図中１３２Ｂはメモリを示しており、メモリ１３２Ｂには車両１３ｄに装備されているドアロック装置１を遠隔操作するための遠隔操作データ、ドアロック装置１の遠隔操作に必要となる鍵コード、鍵コード消去データなどを格納するものである。
【０１４２】
前記遠隔操作データには、携帯電話１２ｆを遠隔操作機器として動作させるためのアプリケーションプログラムＰ１が含まれている。また、前記鍵コード消去データには、所定の条件が満たされると、メモリ１３２Ｂに記憶されている鍵コードを消去するためのアプリケーションプログラムＰ４が含まれている。
【０１４３】
次に、実施の形態（６）に係る無線携帯端末（携帯電話１２ｆ）における制御部１３１Ｂの行う処理動作▲６▼（すなわち、制御部１３１Ｂを構成するコンピュータに、アプリケーションプログラムＰ４を実行させることによって実現される機能）を図１５に示したフローチャートに基づいて説明する。まず、タイマｔ２を０にしてスタートさせ（ステップＳ８１）、次に、タイマｔ２が所定の期間Ｔ２（例えば、２４時間）経過したか否かを判断する（ステップＳ８２）。
【０１４４】
タイマｔ２が所定の期間Ｔ２経過していると判断すれば、メモリ１３２Ｂに記憶されている鍵コードを消去することによって、車両１３ｄに装備されているドアロック装置１の遠隔操作をできないようにする（ステップＳ８３）。
【０１４５】
一方、タイマｔ２が所定の期間Ｔ２経過していないと判断すれば、次に、携帯電話１２ｆを使った遠隔操作が行われたか否かを判断する（ステップＳ８４）。携帯電話１２ｆを使った遠隔操作が行われたと判断すれば、タイマｔ２を０に戻し（ステップＳ８５）、他方、前記遠隔操作が行われていないと判断すれば、そのまま処理動作▲６▼を終了する。
【０１４６】
上記実施の形態（６）に係る無線携帯端末によれば、所定の期間Ｔ２（例えば、２４時間）が経過するまでに、遠隔操作が一度も行われないと、メモリ１３２Ｂに記憶されている鍵コードが消去され、車両１３ｄに装備されているドアロック装置１の遠隔操作ができなくなるようになっている。
【０１４７】
携帯電話１２ｆを使って遠隔操作を行うことができるようになっている場合、携帯電話１２ｆの所有者が携帯電話１２ｆを所持していれば、所定の期間Ｔ２内に、何らかの遠隔操作が行われるはずである。にも拘らず、遠隔操作が行われない場合というのは、携帯電話１２ｆを前記所有者以外の人間が所持していると考えることができる。
従って、所定の期間Ｔ２が経過するまでに、遠隔操作が行われない場合、携帯電話１２ｆによる遠隔操作を不能とすることによって、車両１３ｄの保安性を高めることができる。
【０１４８】
また、上記実施の形態（４）〜（６）に係る無線携帯端末では、車両１３ｄの保安性を高めるために、所定の条件が満たされると、メモリ１３２に格納されている鍵コードを消去するようになっているが、別の実施の形態に係る無線携帯端末では、鍵コードを消去するのではなく、コードの書き換えを行うようにしても良い。
【０１４９】
また、上記実施の形態（４）〜（６）に係る無線携帯端末では、携帯電話１２ｄ〜１２ｆを遠隔操作機器として動作させるための遠隔操作データが、予めメモリ１３２、１３２Ａ、１３２Ｂに格納されているが、別の実施の形態に係る無線携帯端末では、前記遠隔操作データを、遠隔操作の対象となる遠隔操作対象装置（ここではドアロック装置１）から携帯電話１２ｄ〜１２ｆへ送信させるようにしても良い。
【０１５０】
また、さらに別の実施の形態では、前記遠隔操作データとして、携帯電話１２ｄ〜１２ｆの表示部１０５へ表示させるための操作画面に対応する操作画面データを前記遠隔操作対象装置から携帯電話１２ｄ〜１２ｆへ送信させるようにしても良い。例えば、携帯電話１２ｄ〜１２ｆから発光素子１０７を使って、前記遠隔操作対象装置へ向けて前記操作画面データを要求する要求信号を送信させるようにし、該要求信号を受信した前記遠隔操作対象装置が前記操作画面データを含んで構成される信号を外部へ送信させるようにする。
【０１５１】
なお、これを実現するには、携帯電話１２ｄ〜１２ｆに前記遠隔操作対象装置から送信されてくる信号を受信するためのフォト・トランジスタなどの受信部を設ける必要や、前記遠隔操作対象装置に前記信号を送信するための送信部を設ける必要がある。
【０１５２】
また、安全性を確保するために、携帯電話１２ｄ〜１２ｆから前記要求信号と合わせてＩＤコードを送信させるようにし、前記遠隔操作対象装置では送信されてくるＩＤコードに基づいて、前記操作画面データを送信すべきか否かを判定させるようにしても良い。なお、このＩＤコードについては、鍵コードと兼用しても良い。また、前記遠隔操作対象装置については、ドアロック装置１に限定されることはなく、ナビゲーション装置やオーディオ装置などであっても良い。
【０１５３】
また、上記実施の形態（１）〜（３）に係る情報処理システム、上記実施の形態（４）〜（６）に係る無線携帯端末のいずれでも、車両に装備されるドアロック装置１の遠隔操作を携帯電話で行わせる場合について説明しているが、遠隔操作の対象となる装置はドアロック装置に限定されるものではなく、セキュリティモードのセット／アンセット操作が必要となるセキュリティ装置など、鍵コードを使って利用者の制限を設ける必要のある装置に対して有用である。
【０１５４】
さらに、別の実施の形態では、ドアロックを解錠したり、セキュリティモードをアンセットしたりするときに、携帯電話から各個人を特定するための特定コードを送信させるようにし、該特定コードに基づいて、各個人に対応したドライバーズモードを復元させるようにしても良い。また、該ドライバーズモードとしては、例えば、シートポジションや、ミラーポジション、再生メディア（例えば、ＣＤ、ＭＤ、ＡＭラジオ、ＦＭラジオなど）、オーディオ音量などが挙げられる。
【０１５５】
なお、前記ドライバーズモードの復元を実現するには、各個人（前記特定コード）に対応させて、所定の記憶装置に各個人の前記ドライバーズモードを記憶させておけば良い。また、前記所定の記憶装置に各個人の前記ドライバーズモードを記憶させる方法としては、例えば、乗車後のドライバーの動きや、操作などを記憶させるといった方法が挙げられる。
【図面の簡単な説明】
【図１】本発明の実施の形態（１）に係る情報処理システムを採用した場合における、鍵コードを携帯電話へ書き込む流れの一例を説明するための説明図である。
【図２】実施の形態（２）に係る情報処理システムを採用した場合における、鍵コードを携帯電話へ書き込む流れの一例を説明するための説明図である。
【図３】実施の形態（３）に係る情報処理システムを採用した場合における、鍵コードを携帯電話へ書き込む流れの一例を説明するための説明図である。
【図４】実施の形態（１）に係る情報処理システムの要部を概略的に示したブロック図である。
【図５】（ａ）は実施の形態（１）に係る情報処理システムを構成するサーバーのデータベースに格納されている顧客情報ファイルの構造を示し、（ｂ）は鍵コードファイルの構造を示し、（ｃ）は通信事業者ファイルの構造を示したものである。
【図６】実施の形態（１）に係る情報処理システムにおけるパソコンと、サーバーと、携帯電話とにおける処理動作を示したフローチャートである。
【図７】実施の形態（２）に係る情報処理システムの要部を概略的に示したブロック図である。
【図８】実施の形態（２）に係る情報処理システムにおける携帯電話と、サーバーとにおける処理動作を示したフローチャートである。
【図９】実施の形態（３）に係る情報処理システムの要部を概略的に示したブロック図である。
【図１０】実施の形態（３）に係る情報処理システムにおけるパソコンの制御部が行う処理動作を示したフローチャートである。
【図１１】別の実施の形態に係る情報処理システムを構成するサーバーのデータベースに格納されている顧客情報ファイルの構造を示したものである。
【図１２】実施の形態（４）に係る無線携帯端末の要部を概略的に示したブロック図である。
【図１３】実施の形態（４）に係る無線携帯端末における制御部の行う処理動作を示したフローチャートである。
【図１４】実施の形態（５）に係る無線携帯端末における制御部の行う処理動作を示したフローチャートである。
【図１５】実施の形態（６）に係る無線携帯端末における制御部の行う処理動作を示したフローチャートである。
【図１６】従来のドアロックシステムの要部を概略的に示したブロック図である。
【符号の説明】
１２ａ〜１２ｆ　携帯電話
１３ａ〜１３ｄ　車両
２３ａ、２３ｃ　パソコン
２４ａ、２４ｂ　ネットワーク
２５ａ、２５ｂ　サーバー
１０１、１１１、１２１、１３１、１３１Ａ、１３１Ｂ　制御部
２０１、２２１、３０１、３１１　制御部
２０６　送出部
【図１】
2004076346.tif 000003
【図２】
2004076346.tif 000004
【図３】
2004076346.tif 000005
【図４】
2004076346.tif 000006
【図５】
2004076346.tif 000007
【図６】
2004076346.tif 000008
【図７】
2004076346.tif 000009
【図８】
2004076346.tif 000010
【図９】
2004076346.tif 000011
【図１０】
2004076346.tif 000012
【図１１】
2004076346.tif 000013
【図１２】
2004076346.tif 000014
【図１３】
2004076346.tif 000015
【図１４】
2004076346.tif 000016
【図１５】
2004076346.tif 000017
【図１６】
2004076346.tif 000018